(57)【要約】      （修正有）【課題】着物着用時に装着する簡易帯であって、帯を分割させて、帯の一部と着付け用小物を一体化させることにより、帯結びを簡略化して着付け技術を不要としながら、外観上「ふくら雀」の結び方を再現するとともに、必要な着付け用小物類の点数を削減して、保管時の負担を軽減する。【解決手段】帯締め５が逢着されている太鼓部３が、その一端に逢着されている伊達締め１と、略長方形から羽根形状へと形成される羽部１１と、羽部を装着するための羽部固定ベルト２２を備える胴巻き部２１と、からなる。【選択図】図１１
0003224857.tif 000002
【実用新案登録請求の範囲】
【請求項１】
一端に太鼓部が縫着されていることを特徴とする伊達締めと、略長方形状からなる羽部と、前記羽部を装着するための羽部固定ベルトを備えていることを特徴とする胴巻き部とからなる着物用簡易帯
【請求項２】
前記太鼓部は、前記伊達締めに縫着される箇所にタックを設けていることを特徴とする請求項１記載の着物用簡易帯
【請求項３】
前記伊達締めは、伸縮性を有する生地からなり、表面にＡ面又はＢ面の面ファスナーが着設され、裏面に前記面ファスナーに係合するＡ面又はＢ面の面ファスナーが着設されていることを特徴とする請求項１乃至２いずれか記載の着物用簡易帯
【請求項４】
前記太鼓部の裏面に帯締めが縫着されていることを特徴とする請求項１乃至３いずれか記載の着物用簡易帯
【請求項５】
前記羽部の裏面に一対のスナップファスナーを付着していることを特徴とする請求項１乃至４いずれか記載の着物用簡易帯
【請求項６】
前記胴巻き部の裏面に帯板を装着する袋状の収納部を設けていることを特徴とする請求項１乃至５いずれか記載の着物用簡易帯
【請求項７】
前記胴巻き部は、表面にＡ面又はＢ面の面ファスナーが着設され、裏面に前記面ファスナーに係合するＡ面又はＢ面の面ファスナーが着設されていることを特徴とする請求項１乃至６いずれか記載の着物用簡易帯
【請求項８】
請求項１乃至７いずれか記載の着物用簡易帯に使用する帯枕ベルトであって、前記帯枕ベルトは、伸縮性を有する生地からなり、その両端に係止具を備えており、中間部に帯枕が縫着されていることを特徴とする帯枕ベルト
【考案の詳細な説明】
【技術分野】
【０００１】
本考案は、着物着用時に着用する簡易帯に関する。
【背景技術】
【０００２】
着物を着用する際に帯結びは必須であるが、振り袖によく用いられる伝統的な結び方である「ふくら雀」の形状は複雑であるため、その着付けは容易ではなく、帯結びの専門的な技術が必要であった。しかし、着付けの専門家に依頼をするとなると着付け費用の経済的負担も大きく、着付けのための移動に時間的な負担もかかることとなっていた。そして、本来一本の帯を様々な着付け用小物（数本の着付け紐・帯枕・帯揚げ等）で結んでいくものであるため、保管しておく際にも紛失するおそれ等もあり、手間がかかるものとなっていた。
そこで、容易に装着することができ、着姿を美しく見せることができる簡易装着帯に関する技術が公開されている。
【先行技術文献】
【特許文献】
【０００３】
【特許文献１】実用新案登録第３１６３８１５号公報
【考案の概要】
【考案が解決しようとする課題】
【０００４】
特許文献１に記載の帯は、帯部とお太鼓を形成する帯結び部とを装着することにより、従来の帯よりも容易に着付けをすることができるが、該帯では「ふくら雀」を再現することはできていない。
【０００５】
そこで、本考案は、帯を分割させ、帯の一部と着付け用小物を一体化させることにより、帯結びを簡略化して着付け技術を不要としながら、外観上「ふくら雀」の結び方を再現するとともに、必要な着付け用小物類の点数を削減して、保管時の負担を軽減することをも目的とする。
【課題を解決するための手段】
【０００６】
請求項１記載の着物用簡易帯は、一端に太鼓部が縫着されていることを特徴とする伊達締めと、略長方形状からなる羽部と、前記羽部を装着するための羽部固定ベルトを備えていることを特徴とする胴巻き部とからなる。
【０００７】
伊達締めと帯の一部と帯締めを一体化させることにより、簡易に帯締めができるとともに、必要な着付け小物の数を減らすことができる。また、ふくら雀結びの太鼓部と羽部とを分離することにより、着付けの簡略化を実現できることとなる。
【０００８】
請求項２記載の着物用簡易帯は、請求項１記載の着物用簡易帯であって、前記太鼓部は、前記伊達締めに縫着される箇所にタックを設けていることを特徴とする。
【０００９】
太鼓部にタックを入れて伊達締めに縫着することによって、帯を結んでいるように見せることができる。
【００１０】
請求項３記載の着物用簡易帯は、請求項１乃至２いずれか記載の着物用簡易帯であって、前記伊達締めは、伸縮性を有する生地からなり、表面にＡ面又はＢ面の面ファスナーが着設され、裏面に前記面ファスナーに係合するＡ面又はＢ面の面ファスナーが着設されていることを特徴とする。
【００１１】
伊達締めに伸縮性を持たせることにより、サイズに融通性を利かせて、多種のサイズを用意すること無く、多様な着用者に適応させることができるとともに、伊達締めを結んで止着することなく、面ファスナーにて止着することによって、容易に伊達締めを巻き止めることができる。
【００１２】
請求項４記載の着物用簡易帯は、請求項１乃至３いずれか記載の着物用簡易帯であって、前記太鼓部の裏面に帯締めが縫着されていることを特徴とする。
【００１３】
帯締めを太鼓部に縫着することにより、着付けが楽になるとともに、帯締め単体での保管が不要となり、紛失するおそれも無くなることとなる。
【００１４】
請求項５記載の着物用簡易帯は、請求項１乃至４いずれか記載の着物用簡易帯であって、前記羽部の裏面に一対のスナップファスナーを付着していることを特徴とする。
【００１５】
羽部を羽根形状に形成して胴巻き部に装着する際に、スナップファスナーにて留め合わせることにより、羽根形状を維持させておくことができる。
【００１６】
請求項６記載の着物用簡易帯は、請求項１乃至５いずれか記載の着物用簡易帯であって、前記胴巻き部の裏面に帯板を装着する袋状の収納部を設けていることを特徴とする。
【００１７】
通常の着付けでは、帯板を帯前面に挟み込むが、胴巻き部に帯板を収納するポケットを設けることにより、あらかじめ該ポケットに帯板を挿入させることによって、着付けの簡略化ができることとなる。
【００１８】
請求項７記載に着物用簡易帯は、請求項１乃至６いずれか記載の着物用簡易帯であって、前記胴巻き部は、表面にＡ面又はＢ面の面ファスナーが着設され、裏面に前記面ファスナーに係合するＡ面又はＢ面の面ファスナーが着設されていることを特徴とする。
【００１９】
胴巻き部を面ファスナーにて止着することによって、容易に胴巻き部を巻き止めることができる。
【００２０】
請求項８記載の帯枕ベルトは、請求項１乃至７いずれか記載の着物用簡易帯に使用する帯枕ベルトであって、前記帯枕ベルトは、伸縮性を有する生地からなり、その両端に係止具を備えており、中間部に帯枕が縫着されていることを特徴とする。
【００２１】
通常の着付けにおいては、帯枕を帯揚げに包んで巻くこととなるが、帯枕をベルトに着設させることにより、帯枕の位置決めが容易となり、係止具によって簡易に帯枕を固定することができる。また、伸縮性の生地によって、多様な着用者に対応させることが可能である。
本帯枕着用後に帯揚げを被せて巻くことによって、帯枕ベルトを隠すことにより、通常の着付けと変わらない状態を再現することができる。
【考案の効果】
【００２２】
本考案によれば、専門的な着付けの技術が無くとも、「ふくら雀」結びの形状を容易に実現することができる。そして、帯を分割させ、着付け用小物と一体化させることにより、帯締めに必要な部材点数を減らすことができ、その保管の負担も減らせる着物用簡易帯を提供することができる。
【図面の簡単な説明】
【００２３】
【図１】本考案の実施の形態において、太鼓部が縫着されている伊達締めの表面を表わす図である。
【図２】本考案の実施の形態において、太鼓部が縫着されている伊達締めの裏面を表わす図である。
【図３】本考案の実施の形態において、伊達締めと太鼓部の縫着部分を表わす図である。
【図４】本項案の実施の形態において、羽部の裏面を表わす図である。
【図５】本考案の実施の形態において、羽部を羽根形状に形成した表面を表わす図である。
【図６】本考案の実施の形態において、胴巻き部の表面を表わす図である。
【図７】本考案の実施の形態において、胴巻き部の裏面を表わす図である。
【図８】本考案の実施の形態において、帯枕ベルトの表面を表わす図である。
【図９】本考案の実施の形態において、着物に伊達締めを巻き止めた状態を表わす図である。
【図１０】本考案の実施の形態において、着物に胴巻き部を巻き止めた状態を表わす図である。
【図１１】本考案の実施の形態において、胴巻き部に羽部を装着した状態を表わす図である。
【図１２】本考案の実施の形態において、胴巻き部及び羽部に帯枕ベルトを巻き止めた状態を笑わす図である。
【図１３】本考案の実施の形態において、胴巻き部に帯締めを巻き止めた状態を表わす図である。
【考案を実施するための形態】
【００２４】
以下、図面を参照しつつ、本考案の実施の形態について説明する。
【００２５】
本実施の形態については、着物用簡易帯の太鼓部が縫着されている伊達締め、羽部、胴巻き部及び帯枕ベルトについて説明する。
【００２６】
本実施の形態において、帯締めが縫着されている太鼓部（以下、「太鼓」という。）が縫着されている伊達締めと、羽根形状を形成する羽部（以下、「羽」という。）と、前記羽を装着するための羽部固定ベルトを備えている胴巻き部（以下、「胴巻き」という。）及び中間に帯枕が縫着された帯枕ベルトから構成される。
【００２７】
そして、着用する着物として一部式着物を用いているが、二部式着物であっても実施可能である。なお、着物の身丈、袖幅、袖丈、伊達締め・胴巻き・帯枕ベルト・帯締めの長さ、幅、太鼓・羽・帯枕の形状等については任意である。
伊達締め及び胴巻きの巻き止め手段として、面ファスナーを用いているがスナップファスナー等によっても実施可能であり、羽の形状維持のためにスナップファスナーを用いているが面ファスナー等によっても実施可能である。また、帯枕ベルトの係止具についても、面ファスナー等に置き換えても実施可能である。
面ファスナーのＡ面とＢ面とは係合する限りにおいて、Ａ面とＢ面とを入れ替えることが可能である。そして、面ファスナーの長さ、幅は任意であり、その着設位置も任意である。
羽のスナップファスナーについても、羽根形状が維持される限りにおいて、雄雌の一対となれば、取付位置は任意であり、雄雌の位置も任意である。
帯枕ベルトの係止具についても、係合する限りにおいて、その形状・材質は任意である。
【００２８】
以下、図１乃至図８を参照しつつ、前記太鼓が縫着されている伊達締め１、前記羽１１、前記胴巻き２１及び前記帯枕ベルト３１について説明していく。
【００２９】
図１は前記太鼓が縫着された伊達締め１の表面を表わす図であり、図２は前記太鼓が縫着された伊達締め１の裏面を表わす図である。
伊達締め裏面２ｂの左右方向の一端に前記太鼓裏面３ｂの長辺方向の一端が縫着されるが、図３に示すように、前記太鼓３にタックを設けた状態で縫着される。前記伊達締め裏面２ｂと前記太鼓裏面３ｂとの裏面同士が縫着されるのは、前記伊達締め２を着物に巻き止めた際に、前記太鼓３の表面３ａが着用者の背中と向き合うこととなるが、前記羽１１に被せるように降ろすと表面３ａが露出されることとなる。
前記タックにより、着用時に太鼓３がより立体的となり、通常の袋帯等を結んだ状態へと近づけることができる。なお、タックの幅、折り込み回数等は任意であるが、あまり幅が広くても立体的効果が得られ難くなり、折り込み回数を増やすと前記伊達締め２に縫い留め難くなるので、縫い付け幅が太鼓３の短辺方向の半分程度、折り込み回数は２〜３回程度が望ましい。
【００３０】
前記伊達締め表面２ａの前記太鼓３が縫着されている左右方向の逆側の一端に面ファスナー４ａが着設され、前記伊達締め裏面２ｂにも同様に面ファスナー４ｂが着設されるが、前記面ファスナー４ａは、前記面ファスナー４ｂと係合して、前記伊達締め２を結ぶことなく、止着するためのものとなるが、その係合位置をずらすことで、ウエストサイズの調節が可能となる。
さらに、前記伊達締め２を伸縮性を有する生地とすることによって、様々な着用者のサイズにある程度合わせることが可能であるが、前記伊達締め２の左右方向の長さは、想定する着用者のウエストサイズよりも１０〜２０ｃｍ程度長くすることが望ましい。
【００３１】
前記伊達締め表面２ａに着設される面ファスナー４ａをＡ面とし、前記伊達締め裏面２ｂに着設される面ファスナー４ｂをＢ面としているが、止着する限りにおいて、その逆とすることも可能である。そして、前記面ファスナー４ａ及び４ｂの着設は、縫着、貼付等の手段による。
面ファスナー４ａは、前記面ファスナー４ｂに係合するものであるが、その上下方向のサイズは、前記伊達締め２の上下方向よりも短い範囲であればよいが、前記短辺方向の２／３〜３／４程度の長さが望ましい。
また、前記面ファスナー４ａの左右方向のサイズは、前記面ファスナー４ｂと係合する限りにおいて任意であるが、前記面ファスナー４ａの上下方向のサイズよりも少し長い程度とすることが望ましい。
【００３２】
帯締めは、最後に帯の上から巻き止めるものであるが、本実施例においては、前記太鼓裏面３ｂに縫着している。なお、帯締め５の左右方向の中間部が、前記太鼓３の短辺方向の中間に位置するように縫着することが望ましい。そのようにすることによって、前記帯締め５が前記太鼓３から露出する左右の長さが同一となるため、前面で前記帯締め５を結びが容易になり、通常の帯締めで左右の長さを合わせて位置決めする手間が省けることとなる。
【００３３】
図４は前記羽１１の裏面を表わす図であり、図５は前記羽１１を羽根形状とした状態の表面を表わす図である。
前記羽１１は略長方形となるが、左右方向の中間部を上下方向に押圧することにより、羽根形状に形成される。その際に、前記羽裏面１１ｂに付着される一対のスナップファスナー１２同士を嵌合させることにより、羽根形状を保てることとなる。
【００３４】
図６は前記胴巻き２１の表面を表わす図であり、図７は前記胴巻き２１の裏面を表わす図となる。
前記胴巻き表面２１ａの左右方向の一端に面ファスナー２４ａが着設され、前記胴巻き裏面２１ｂにも同様に面ファスナー２４ｂが着設されるが、前記面ファスナー２４ａは、前記面ファスナー２４ｂと係合して、前記胴巻き２１を結ぶことなく、止着するためのものとなるが、その係合位置をずらすことで、ウエストサイズの調節が可能となる。
なお、前記胴巻き２１の上下方向の長さは、前記胴巻き２１を巻き止めた際に、前記伊達締め２が隠れるように、前記伊達締め２の上下方向の長さよりも長くする必要がある。
【００３５】
前記胴巻き表面２１ａに着設される面ファスナーをＡ面とし、前記胴巻き２１ｂに着設される面ファスナーをＢ面としているが、止着する限りにおいて、その逆とすることも可能である。そして、前記面ファスナー２４ａ及び２４ｂの着設は、縫着、貼付等の手段による。
前記面ファスナー２４ａ及び２４ｂは、それぞれ前記胴巻き２１の短辺方向の上下に２つずつ設けているが、１つずつとすることも可能である。その場合は、前記面ファスナー２４ａ及び２４ｂの短辺方向の幅を、前記胴巻き２１の短辺方向の幅よりも若干短い程度とすることが望ましい。なお、前記面ファスナー２４ａは、前記面ファスナー２４ｂに係合するものであるが、その左右方向の長さをある程度設けることにより、様々な着用者のウエストサイズに合わせることが可能である。
また、前記胴巻き２１のずり落ち、着崩れ等を防ぐために、すべり止め２７が着設されているが、その素材としてはゴム、合成皮革等が望ましい。なお、その着設は任意である。
【００３６】
前記胴巻き裏面２１ｂに袋状の帯板収納部２５を設けることにより、帯板２６を挿入することができる。前記帯板２６は前記帯板収納部２５に収まるよう、その短辺方向の長さは、前記胴巻き２１の短辺方向の長さよりも短い必要があり、長辺方向の長さは、前記胴巻き２１の長辺方向の長さの１／３程度が望ましい。なお、前記帯板２６は前記胴巻き２１に張りを持たせるためのものであるため、その材質は、ある程度の硬度が必要であるとともに、破損を防ぐために、ある程度の弾力性が必要となる。
【００３７】
前記胴巻き２１の左右方向の上部に羽部固定ベルト（以下、「羽ベルト」という。）２２が備えられる。前記羽ベルト２２は、前記羽１１を装着するためのものであり、前記羽１１の押圧した中間部分を巻いて、面ファスナー２３ａと面ファスナー２３ｂとを係合させて固定する。
【００３８】
図８は、帯枕ベルト３１の表面を表わす図である。
ベルトの表面３３ａの中間部に帯枕３２が縫着されており、両端部に係止具３４ａ及び３４ｂが着設されている。前記係止具３４ａと前記係止具３４ｂとが係合して、前記ベルト３３を結ぶことなく、止着することができる。
また、前記ベルト３３を伸縮性を有する生地とすることによって、様々な着用者のサイズにある程度合わせることが可能であるが、さらに、前記ベルト３３に調整具（アジャスター）３５を付加することにより、より細かなサイズ調整をすることができる。
なお、調整具３５の付加は任意であり、係止具３４の形状は、互いに係合する限りにおいて任意であり、止着できる限りにおいて、係止具ではなく、面ファスナー、スナップファスナー等とすることも可能である。
【００３９】
次に、図９乃至図１３を参照しつつ、本実施例における本着物用簡易帯の装着する手順について説明する。
【００４０】
まず、図９に示すように、着用者が着物を着用し、前記太鼓の表面３ａを着用者の背中と相対するようにして、前記太鼓３の上下方向の中心と、背中の中心線とを合わせるように、前記太鼓が縫着されている伊達締め１の位置決めを行う。そして、前記伊達締め２を左胸部から前方に回して、右胸部から背中側に巻き付けて、前記面ファスナー４ｂを前記面ファスナー４ａに止着して、前記伊達締め２を巻き止める。この時、前記太鼓３は下方に降ろさず、前記伊達締め２よりも上方に位置させたままとして置く。
【００４１】
そして、図１０に示すように、前記胴巻き裏面２１ｂと前記伊達締め表面２ａが相対するようにして、前記羽ベルト２２の上下方向の中心と前記太鼓３の上下方向の中心とを合わせるようにして、前記胴巻き２１の位置決めを行い、前記胴巻き２１を右胸部から前方に回して、左胸部から背中側に巻き付けて、前記面ファスナー２４ａを前記面ファスナー２４ｂに止着して、前記胴巻き２１を巻き止める。この時、前記伊達締め２が、前記胴巻き２１からはみ出さないように装着する。
【００４２】
次に、図１１に示すように、前記羽１１の左右方向の中間部を上下方向に押圧するようにして、羽根形状を形成して、前記羽裏面１１ｂと前記太鼓裏面３ｂとが相対するようにして、前記押圧した羽１１の中間部分に、前記羽ベルト２２を巻き付けるようにして、面ファスナー２３ａと面ファスナー２３ｂとを止着して、前記羽１１を前記胴巻き２１に装着する。この時、前記羽ベルト２２は、前記羽１１の下方から上方に巻き付けるようにする。
前記羽１１の装着後に、前記スナップファスナー１２を嵌合させる。
【００４３】
その後、図１２に示すように、前記羽１１を巻き止めている前記羽ベルト表面２２ａに接するように、前記帯枕ベルト３１の前記帯枕３２の上下方向の中心が位置するようにして、前記ベルト３３を前記係合具３４ａと３４ｂとを係合させて、前記胴巻き２１に巻き止める。
そして、帯揚げを前記帯枕３２に被せるようにして、前記ベルト３３を隠すように巻き止める。
【００４４】
最後に、図１３に示すように、前記太鼓３を、前記羽１１に被せるようにして降ろして、前記太鼓裏面３ｂに縫着されている帯締め５を前面に回して、前記胴巻き表面２１ａの上から結ぶ。
【００４５】
なお、前記太鼓表面３ａ、前記羽表面１１ａ、前記羽裏面１１ｂ、及び前記胴巻き表面２１ａは、「ふくら雀」の形状を再現し、美しく見せるためにも、同素材、同色とすることが好ましい。
【符号の説明】
【００４６】
２ａ            伊達締めの表面
２ｂ            伊達締めの裏面
３ａ            太鼓の表面
３ｂ            太鼓の裏面
４ａ            面ファスナーＡ面
４ｂ            面ファスナーＢ面
５              帯締め
１１ａ          羽の表面
１１ｂ          羽の裏面
２１ａ          胴巻きの表面
２１ｂ          胴巻きの裏面
２２ａ          羽部固定ベルトの表面
２５            帯板収納部
２６            帯板
３２            帯枕
【図１】
0003224857.tif 000003
【図２】
0003224857.tif 000004
【図３】
0003224857.tif 000005
【図４】
0003224857.tif 000006
【図５】
0003224857.tif 000007
【図６】
0003224857.tif 000008
【図７】
0003224857.tif 000009
【図８】
0003224857.tif 000010
【図９】
0003224857.tif 000011
【図１０】
0003224857.tif 000012
【図１１】
0003224857.tif 000013
【図１２】
0003224857.tif 000014
【図１３】
0003224857.tif 000015
【手続補正書】
【提出日】令和1年11月28日(2019.11.28)
【手続補正１】
【補正対象書類名】明細書
【補正対象項目名】００２３
【補正方法】変更
【補正の内容】
【００２３】
【図１】本考案の実施の形態において、太鼓部が縫着されている伊達締めの表面を表わす図である。
【図２】本考案の実施の形態において、太鼓部が縫着されている伊達締めの裏面を表わす図である。
【図３】本考案の実施の形態において、伊達締めと太鼓部の縫着部分を表わす図である。
【図４】本項案の実施の形態において、羽部の裏面を表わす図である。
【図５】本考案の実施の形態において、羽部を羽根形状に形成した表面を表わす図である。
【図６】本考案の実施の形態において、胴巻き部の表面を表わす図である。
【図７】本考案の実施の形態において、胴巻き部の裏面を表わす図である。
【図８】本考案の実施の形態において、帯枕ベルトの表面を表わす図である。
【図９】本考案の実施の形態において、着物に伊達締めを巻き止めた状態を表わす図である。
【図１０】本考案の実施の形態において、着物に胴巻き部を巻き止めた状態を表わす図である。
【図１１】本考案の実施の形態において、胴巻き部に羽部を装着した状態を表わす図である。
【図１２】本考案の実施の形態において、胴巻き部及び羽部に帯枕ベルトを巻き止めた状態を表わす図である。
【図１３】本考案の実施の形態において、胴巻き部に帯締めを巻き止めた状態を表わす図である。